(57)【要約】【課題】店長等が厨房の状況を常に的確に把握して、作業量の不均一による作業の遅延や作業負担のばらつきの発生等を未然に防ぐべく対策を迅速に取れるようにする。【解決手段】各メニュー品目をそれぞれ識別する情報にそのメニュー品目を製造する厨房のコーナを特定する情報を対応させて記憶する。そして、客から注文を受けたメニュー品目に関する情報を取得すると、この情報と記憶された情報とに基づいて客から注文を受けたメニュー品目を製造する厨房のコーナを判定する。そして、この判定結果に基づいて厨房のコーナ毎に作業量を決定し、各コーナ毎の作業量を店内監視用のモニタに一画面で表示させる。【選択図】      図２
2005228175.tif 000002
【特許請求の範囲】
【請求項１】
厨房を複数のコーナに区分し、各コーナでそれぞれ異なるメニュー品目を製造する形式の飲食店で使用される店舗管理装置において、
モニタと、
各種メニュー品目の識別情報にそのメニュー品目を製造する厨房のコーナ特定情報を対応させて記憶するメニュー情報記憶手段と、
客から注文を受けたメニュー品目に関する情報を取得するオーダ取得手段と、
このオーダ取得手段により得られた注文メニュー品目に関する情報と前記メニュー情報記憶手段に記憶されたメニュー品目識別情報及び厨房コーナ特定情報とに基づいて前記客から注文を受けたメニュー品目を製造する厨房のコーナを判定する作業コーナ判定手段と、
この作業コーナ判定手段による判定結果に基づいて前記厨房のコーナ毎に作業量を決定する作業量決定手段と、
この作業量決定手段により決定された各コーナ毎の作業量を前記モニタに一画面で表示させる作業量表示手段と、
を具備したことを特徴とする店舗管理装置。
【請求項２】
前記作業量表示手段は、各コーナ毎の作業量をインジケータとして前記モニタに一画面で表示させるものであることを特徴とする請求項１記載の店舗管理装置。
【請求項３】
厨房を複数のコーナに区分し、各コーナでそれぞれ異なるメニュー品目を製造する形式の飲食店で使用される店舗管理装置において、
各種メニュー品目の識別情報にそのメニュー品目を製造する厨房のコーナ特定情報を対応させて記憶するメニュー情報記憶手段と、
客から注文を受けたメニュー品目に関する情報を取得するオーダ取得手段と、
このオーダ取得手段により得られた注文メニュー品目に関する情報と前記メニュー情報記憶手段に記憶されたメニュー品目識別情報及び厨房コーナ特定情報とに基づいて前記客から注文を受けたメニュー品目を製造する厨房のコーナを判定する作業コーナ判定手段と、
この作業コーナ判定手段により判定された結果に基づいて前記厨房のコーナ毎に作業量を決定する作業量決定手段と、
前記厨房のコーナ毎に前記作業量決定手段により決定された作業量が許容量値を超えたか否かを判断する作業量判断手段と、
この作業量判断手段により作業量が許容量値を超えたと判断された厨房コーナを報知する報知手段と、
を具備したことを特徴とする店舗管理装置。
【請求項４】
前記厨房で作業する各店員の氏名情報にその店員が担当する厨房コーナの特定情報を対応させて記憶する店員情報記憶手段をさらに具備し、
この店員情報記憶手段に記憶された店員氏名情報及び厨房コーナ特定情報を基に、前記報知手段により厨房コーナを報知する際に当該厨房コーナで作業する店員の氏名を併せて報知することを特徴とする請求項３記載の店舗管理装置。
【請求項５】
前記厨房コーナ毎にその厨房コーナの現状を撮像する撮像手段と、この撮像手段により撮像された厨房コーナの現状画像を表示可能なモニタとをさらに具備し、
前記報知手段により厨房コーナを報知する際に当該厨房コーナの現状画像を前記モニタに表示させることを特徴とする請求項３または４記載の店舗管理装置。
【請求項６】
前記作業量決定手段は、前記厨房のコーナ毎にそのコーナに対する単位時間あたりのオーダ数を作業量として決定することを特徴とする請求項１または３記載の店舗管理装置。
【請求項７】
前記厨房のコーナ毎に、そのコーナで製造されたメニュー品目を指定する製造完了指定手段をさらに具備し、
前記作業量決定手段は、前記厨房のコーナ毎にそのコーナに対するオーダ数から製造完了数を減算した値を作業量として決定することを特徴とする請求項１または３記載の店舗管理装置。
【発明の詳細な説明】
【技術分野】
【０００１】
本発明は、ファミリーレストランや居酒屋等の飲食店において、店長等の店舗管理者が店内の状況を把握し効率よく運営するのを支援するための店舗管理装置に関する。
【背景技術】
【０００２】
従来のこの種の飲食店向けの店舗管理装置としては、モニタに客席のフロアレイアウトを示す画面を表示させ、この画面上で客席毎に空席なのか在席なのかを確認できるようにした空席管理装置があった（例えば、特許文献１参照）。
【特許文献１】特開２０００−１９４７８１公報
【発明の開示】
【発明が解決しようとする課題】
【０００３】
ところで、例えば大規模なファミリーレストランでは、厨房を複数のコーナに区分し、各コーナ毎にそれぞれ異なるメニュー品目を専門的に調理するようにしている。このため、特定のコーナに注文が集中しために注文品の提供が遅れて客に不愉快な思いをさせることがあった。
【０００４】
このような問題を回避するためには、店長等の店舗管理者が厨房のコーナ毎に現時点における調理作業量等の状況を的確に把握し、作業量の不均一による作業の遅延や作業負担のばらつきの発生等を未然に防ぐべく対策を講じる必要があった。
【０００５】
しかしながら従来の空席管理装置では、客席の状況はリアルタイムに把握できるものの、厨房の状況までは把握することができなかったので、例えば混雑時において適切な対策を迅速に取ることが困難であった。
【０００６】
本発明はこのような事情に基づいてなされたもので、その目的とするところは、店舗管理者が厨房の状況を常に的確に把握して、作業量の不均一による作業の遅延や作業負担のばらつきの発生等を未然に防ぐべく対策を迅速に取ることができ、特に混雑時における効率的な店舗運営を支援することができる店舗管理装置を提供しようとするものである。
【課題を解決するための手段】
【０００７】
本発明は、厨房を複数のコーナに区分し、各コーナでそれぞれ異なるメニュー品目を製造する形式の飲食店で使用される店舗管理装置であって、各種のメニュー品目をそれぞれ識別する情報にそのメニュー品目を製造する厨房のコーナを特定する情報を対応させて記憶するメニュー情報記憶手段を設ける。そして、客から注文を受けたメニュー品目に関する情報を取得すると、この情報とメニュー情報記憶手段に記憶された情報とに基づいて客から注文を受けたメニュー品目を製造する厨房のコーナを判定する。そして、この判定結果に基づいて厨房のコーナ毎に作業量を決定し、各コーナ毎の作業量をモニタに一画面で表示させるようにしたものである。
【発明の効果】
【０００８】
かかる手段を講じた本発明によれば、店舗管理者が厨房の状況を常に的確に把握して、作業量の不均一による作業の遅延や作業負担のばらつきの発生等を未然に防ぐべく対策を迅速に取ることができ、特に混雑時における効率的な店舗運営を支援することができる店舗管理装置を提供できる。
【発明を実施するための最良の形態】
【０００９】
以下、本発明を実施するための最良な形態について、図面を用いて説明する。  
なお、この実施の形態は、本発明を客席フロアとして１Ｆ，２Ｆ，３Ｆの３フロアを有するとともに、厨房を揚げ物コーナ，焼き物コーナ，ドリンク・デザートコーナ及びサラダコーナの４つのコーナに区分してなる飲食店に適用した場合である。
【００１０】
図１は本発明の店舗管理機能を実現する飲食店システムの一実施形態を示す図であり、本実施形態のシステムは、店舗管理に関する各種情報処理の中枢を担うコンピュータとしてステーション１を備えている。また、接客担当の店員がそれぞれ携帯して客のオーダ内容等を入力するための端末として、無線回路内蔵のオーダエントリターミナル２を用いている。そして、店内フロアの要所に各オーダエントリターミナル２と無線による双方向通信が可能な無線機３を設け、この無線機３をステーション１に接続して、各オーダエントリターミナル２で入力され、無線送信されたデータをステーション１が取り込めるようになっている。
【００１１】
ステーション１には、ＬＡＮ（Local Area Network）４が接続されており、このＬＡＮ４を介して、厨房のコーナ毎に設けられた厨房端末５Ａ，５Ｂ，５Ｃ，５Ｄや、オーダ伝票を印字発行する伝票発行機６、会計を処理するＰＯＳ（Point Of Sales）端末７、待ち客の予約情報を入力する予約端末８等の電子機器がステーション１に接続されている。
【００１２】
厨房の各コーナには、それぞれそのコーナの現状を撮像するための監視カメラ（撮像手段）９Ａ，９Ｂ，９Ｃ，９Ｄが取付けられており、各カメラ９Ａ〜９Ｄによって撮像された現状画像のデータがステーション１に供給され、モニタ１０にカラー表示されるようになっている。
【００１３】
モニタ１０には、例えば図２に示すレイアウトの店内監視画面１１が常時表示されている。この画面１１は、フロア１Ｆ，２Ｆ，３Ｆ別のフロア状況表示部１２，１３，１４（フロア状況表示部１３，１４は図示せず）と、実績表示部１５と、カメラ画像表示部１６とから構成されている。
【００１４】
フロア状況表示部１２，１３，１４には、それぞれそのフロアに配置されている各客席の空席，在席等の状況を示す客席レイアウト画像１７がカラー表示されている。また、厨房の各コーナにおける仕事量をインジケータとしてコーナ別に示す厨房レイアウト画像１８と、予約端末８によって管理されている待ち客の人数を示す待ち客画像１９とが、各フロア状況表示部１２，１３，１４に共通にカラー表示されている。なお、店内監視画面１１には、いずれか１つのフロア状況表示部１２，１３または１４が表示されており、例えばモニタ１０に接続されたマウス等の図示しない操作手段で画面を操作して各フロア状況表示部１２，１３，１４のタグ１２Ｔ，１３Ｔ，１４Ｔを選択することによって、フロア状況表示部１２，１３，１４の画像を切り換えられるようになっている。
【００１５】
実績表示部１５には、オーダエントリターミナル２によってオーダを受けた時点の時間帯別売上金額とＰＯＳ端末７によって会計を処理した時点の時間帯別売上金額とを対比して示すグラフや、各フロアでそれぞれ従事している接客担当者のオーダ回数，配膳回数，片付回数を示すグラフ等が表示されている。
【００１６】
カメラ画像表示部１６には、各カメラ９Ａ，９Ｂ，９Ｃ，９Ｄによって撮像された画像が表示される。
【００１７】
図３は客席レイアウト画像１７に表示される客席画像２０の一例であり、（ａ）は客が在席している客席画像２０ａを示し、（ｂ）は客が在席していない客席画像２０ｂを示している。在席中の客席画像２０ａには、その客席を特定する客席コード２１とともに、在席時間を示すインジケータ２２が表示されている。また、メニュー品目の注文を受けていない客席には注文待ちを示すマーク［注］が表示され、配膳されていないオーダが残っている客席には未配膳を示すマーク［未］２３が表示されている。在席時間インジケータ２２は、不在を示す客席画像２０ｂには表示されない。不在を示す客席画像２０ｂのうち、片付中の客席にはマーク［片］２４が表示されている。また、予約席にはマーク［予］が表示されている。
【００１８】
図４は厨房レイアウト画像１８に表示されるコーナ別の仕事量インジケータ２５の一例であり、円２６の中に、仕事量インジケータ２５がコーナ名２７とともに表示されている。円２６の外側には、そのコーナでメニュー品目の製造を担当している店員の氏名２８と人物マーク２９とが表示されている。
【００１９】
オーダエントリターミナル２は、図６のブロック図で示すように、半導体メモリ等の記憶部３１、キーボード，ダッチパネル等の操作入力部３２、液晶ディスプレイ等の表示部３３、無線部３４及び各部を制御する制御部３５の各部で構成されている。記憶部３１には、当該オーダエントリターミナル２を携帯して使用する接客担当（フロア担当）の店員に設定された店員コードや、当該飲食店で販売するメニュー品目のメニューコード，品目名等の情報が記憶されている。
【００２０】
オーダエントリターミナル２の外観構成の一例を図５に示す。このオーダエントリターミナル２は、携帯可能なブック型の本体３６からなり、本体３６を見開いたときの一方の面にキーボード３７が設けられ、他方の面にタッチパネル付きのディスプレイ３８が設けられている。キーボード３７には、「新規」，「追加」，「取消」，「設定」，「席Ｎｏ」，「案内完了」，「配膳完了」，「片付完了」の各機能キーや、「ランチ」，「サラダ／スープ」，「パスタ」等の料理種別キー、「０」〜「９」の置数キー、確認／送信キー等が配列されている。
【００２１】
本実施の形態において、各フロアにそれぞれ配置された接客担当の各店員は、それぞれオーダエントリターミナル２を携帯し、予め設定キーや置数キー等を操作して、自身の店員コードを記憶部３１に設定しておく。この状態で、各店員は、来店した客を空いている席まで案内する案内業務、客のオーダを受けるオーダ業務、厨房で製造されたメニュー品目を客席まで配膳する配膳業務及び客が帰った客席の皿等を片付ける片付業務等を行う。そして、案内業務を行った際には、席番号キーと置数キーとを操作して案内した客席を特定するための客席コードを入力した後、案内完了キーを操作する。オーダ業務を行った際には、オーダをした客が着いている客席の客席コードを入力した後、メニュー群キーの操作により表示されるメニューリストからオーダを受けたメニュー品目を選択し登録する。そして、登録を完了すると、確認／送信キーを操作する。配膳業務を行った際には、配膳した客席の客席コードを入力した後、配膳完了キーを操作する。片付業務を行った際には、片付け終わった客席の客席コードを入力した後、片付完了キーを操作する。
【００２２】
案内完了キーの操作によりオーダエントリターミナル２から無線送信される案内完了データ伝文のフォーマットを図７（ａ）に示し、確認／送信キーの操作により無線送信されるオーダメニューデータ伝文のフォーマットを図７（ｂ）に示し、配膳完了キーの操作により無線送信される配膳完了データ伝文のフォーマットを図７（ｃ）に示し、片付完了キーの操作により無線送信される片付完了データ伝文のフォーマットを図７（ｄ）に示す。各伝文ファーマットにおいて、ＳＴＮコードは、伝文の宛先であるステーション１の識別コードである。客席コードは、都度、操作入力される客席コードである。店員コードは、記憶部３１に記憶されている店員コードである。案内完了データ，配膳完了データ及び片付完了データはそれぞれ異なる固定のデータである。オーダメニューデータは、オーダ入力されたメニュー品目のメニューコード及び注文数等である。これらの無線データ伝文は、無線機３で受信され、ステーション１に取れ込まれて処理される。
【００２３】
各厨房端末５Ａ〜５Ｄは同一構成であり、その要部を図８のブロック図で示す。すなわち厨房端末５Ａ〜５Ｄは、タッチパネル付のディスプレイ４１と、このディスプレイ４１を制御するコントローラ４２とからなり、コントローラ４２は、ディスプレイ４１に表示させる画像データを記憶する画像メモリ４３、タッチパネル信号によりメニュー品目の製造完了を検知する製造完了検知部４４、半導体メモリ等の記憶部４５、ＬＡＮ４に接続される通信部４６及びこれらを制御する制御部４７等で構成されている。記憶部４５には、各厨房端末５Ａ〜５Ｄ毎に、それぞれ設置されている厨房コーナを識別するための厨房コーナコードが予め記憶されている。
【００２４】
各厨房端末５Ａ〜５Ｄは、それぞれ厨房のコーナ毎にそのコーナで製造するメニュー品目のうち、客からオーダを受けたメニュー品目のリストをタッチパネル付ディスプレイ４１に表示させるものであり、各厨房コーナの製造担当である店員は、このディスプレイ４１に表示されたリストに従い、メニュー品目を製造（調理）する。そして、製造を完了する毎に、ディスプレイ４１をタッチ操作してリストから削除する。このとき、製造完了検知部４４は、ディスプレイ４１からのタッチパネル信号により製造を完了したメニュー品目を認識し、制御部４７に通知する。制御部４７は、製造完了検知部４４からの通知に応じて図９に示すフォーマットの製造完了データ伝文を作成し、通信部４６から送信する（製造完了指定手段）。
【００２５】
図９において、ＳＴＮコードは伝文の宛先であるステーション１の識別コードである。厨房コーナコードは、記憶部４５に記憶されている厨房コーナコードである。メニューコードは、製造を完了したメニュー品目のメニューコードである。客席コードは、製造を完了したメニュー品目をオーダした客の客席コードである。この製造完了データ伝文は、ＬＡＮ４を伝送され、ステーション１に取れ込まれて処理される。
【００２６】
ＰＯＳ端末７は、図１０のブロック図で示すように、半導体メモリ等の記憶部５１、キーボード，スキャナ等の操作入力部５２、オペレータ用及び客用の表示部５３、レシート印字等を行う印字部５４、ＬＡＮ４に接続される通信部５５及びこれらを制御する制御部５６の各部で構成されている。記憶部５１には、当該ＰＯＳ端末７を識別するためのＰＯＳコードが予め記憶されている。
【００２７】
操作入力部５２には、客席コード入力手段５７が設けられており、会計担当の店員は、飲食を終えた客がその飲食代金の会計を申し出ると、その客が着いていた客席の客席コードを入力する。すると、制御部５６は、図１１に示すフォーマットの会計入力データ伝文を作成し、通信部５５から送信する。
【００２８】
図１１において、ＳＴＮコードは伝文の宛先であるステーション１の識別コードである。ＰＯＳコードは、記憶部５１に記憶されているＰＯＳコードである。客席コードは、都度、客席コード入力手段５７によって入力される客席コードである。この会計入力データ伝文は、ＬＡＮ４を伝送され、ステーション１に取れ込まれて処理される。これにより、ステーション１からは、当該客席コードの客席に着いていた客のオーダデータがＬＡＮ４経由で与えられるので、制御部５６は、このオーダデータに基づき売上情報を記憶部５１にメモリ処理する。また、印字部５４を動作させて、レシートを印字発行するものとなっている。
【００２９】
ステーション１は、図１２のブロック図で示すように、ハードディスク等に形成されたデータベース部６１、半導体メモリ等のメモリ部６２、前記モニタ１０に表示させる画像データを記憶する画像メモリ６３、前記無線機３が接続される無線機インターフェイス６４、現在の日時を計時する時計部６５、ＬＡＮ４に接続される通信部６６、各監視カメラ９Ａ〜９Ｄの撮像動作を制御するカメラ制御部６７及びこれらを制御する主制御部６８等で構成されている。メモリ部６２には、当該ステーション１を識別するためのＳＴＮコードが記憶されている。またメモリ部６２には、警告ログデータを蓄積するための警告ログファイル６９が形成されている。
【００３０】
データベース部６１には、店員データベース７０，メニューデータベース７１，フロアデータベース７２，客席データベース７３，厨房データベース７４等の各種データベースが保存されている。
【００３１】
店員データベース７０には、各店員毎に、図１３に示すように、その店員の識別情報である店員コードと、氏名と、その店員の担当部署（接客担当，厨房担当など）を示す担当部署コード及びその部署での作業実績データとが１レコードとして記憶されている。接客担当の店員に対しては、その店員が配置されたフロアのフロアコードが担当部署コードとして設定されており、作業実績データとしてオーダ回数，配膳回数及び片付回数が累計記憶される。また、厨房担当等の店員に対しては、その店員が配置された厨房コーナの厨房コーナコードが担当部署コードとして設定されており、作業実績データとして製造品目数が累計記憶される。
【００３２】
メニューデータベース７１には、各メニュー品目毎に，図１４に示すように、そのメニュー品目の識別情報であるメニューコードと、品目名と、単価と、そのメニュー品目が製造される厨房のコーナ特定情報である厨房コーナコードと、オーダ回数，売上累計金額等のオーダ実績データとが１レコードとして記憶されている（メニュー情報記憶手段）。
【００３３】
フロアデータベース７２には、各フロア１Ｆ，２Ｆ，３Ｆ毎に、図１５に示すように、そのフロアの識別情報であるフロアコードと、フロア名と、そのフロアに設置されている客席の総数と、店内監視画面１１に客席レイアウト画像１７として表示されるそのフロアのレイアウト画像データと、そのフロアの現時点における在席数，未オーダ数，未配膳数等のフロア管理データとが１レコードとして記憶されている。
【００３４】
客席データベース７３には、全フロアの客席毎に、図１６に示すように、その客席の識別情報である客席コードと、客席名と、その客席が設けられているフロアのフロアコードと、その客席の定員及び禁煙席か喫煙席かを識別するステータスデータと、その客席の稼動状況データと、その客席に着いている一単位の客の入店からの滞留時間をカウントする滞留時間データと、その客席に着いている客がオーダしたメニュー品目のメニューコード，合計金額等のオーダ管理データとが１レコードとして記憶されている。稼動状況データは、空席を“０”とし、注文待ちを“１”とし、配膳待ちを“２”とし、飲食中を“３”とし、片付中を“４”とし、予約席を“９”とする。滞留時間データは、時計部６５にて計時される時刻に同期して１分毎に“１”ずつカウントアップするようになっている。なお、一単位の客とは、１つの伝票で管理される個人またはグループの客のことである。
【００３５】
この客席データベース７３に保存された各レコードの稼動状況データにより、客席レイアウト画像１７に表示される各客席の画像が決定される。すなわち、稼動状況データが空席“０”または片付中“４”若しくは予約“９”の客席は、図３（ｂ）に示す客席画像２０ｂとなり、その画像内に該当する客席名が表示される。また、片付中“４”の場合にはマーク［片］２４が表示され、予約“９”の場合にはマーク［予］が表示される。一方、稼動状況データが注文待ち“１”または配膳待ち“２”若しくは飲食中“３”の客席は、図３（ａ）に示す客席画像２０ａとなり、その画像内に該当する客席名が表示される。また、注文待ち“１”の場合にはマーク［注］が表示され、配膳待ち“２”の場合にはマーク［未］２３が表示される。また、滞留時間データが例えば１５分を経過する毎にインジケータ２２が左端から順番に例えば赤色になるようになっている。
【００３６】
厨房データベース７４には、厨房の各コーナ毎に、図１７に示すように、その厨房コーナの識別情報である厨房コーナコードと、コーナ名と、その厨房コーナに設置されている監視カメラ９Ａ〜９Ｄを識別するためのカメラＩＤと、遅延製造数，製造実績データ及び製造必要数と、警告フラグとが１レコードとして記憶されている。製造実績データは、その厨房コーナに対して製造指示がなされたメニュー品目のメニューコード，注文受付時刻，製造完了時刻等である。製造必要数は、その厨房コーナに対して製造指示がなされたが現時点で製造が完了していないメニュー品目の数である。遅延製造数は、製造必要数の警告しきい値として任意に設定された値であり、製造必要数がこの遅延製造数を上回ると遅延警告が発生して、警告フラグがセットされるものとなっている。
【００３７】
しかして、オーダエントリターミナル２から無線送信される案内完了データ伝文（図７（ａ）を参照）を無線機インターフェイス６４を介して取り込むと、主制御部６８は、図１９の流れ図に示す案内完了入力処理を開始する。
【００３８】
先ず、主制御部６８は、受信伝文中の客席コードを取得し、客席データベース７３を検索して、当該客席コードに対応した稼動状況データを調べる。ここで、稼動状況データが“０”（空席）または“９”（予約席）の場合には、当該客席コードの客席に対して客を案内できるので、主制御部６８は、客席データベース７３の当該客席コードに対応した稼動状況データを“１”（注文待ち）に変更し、滞留時間データを“０”にリセットし、オーダ管理データをクリアする。また、当該客席コードに対応して設定されたフロアコードを取得し、フロアデータベース７２を検索して、当該フロアコードに対応したフロア管理データの在席数，未オーダ数及び未配膳数をそれぞれ“１”ずつ加算するものとなっている。
【００３９】
また、オーダエントリターミナル２から無線送信されるオーダメニューデータ伝文（図７（ｂ）を参照）を無線機インターフェイス６４を介して取り込むと（オーダ取得手段）、主制御部６８は、図２０の流れ図に示すオーダ入力処理を開始する。
【００４０】
先ず、主制御部６８は、受信伝文中の客席コードを取得し、客席データベース７３を検索して、当該客席コードに対応した稼動状況データを調べる。ここで、稼動状況データが“１”（注文待ち），“２”（配膳待ち）または“３”（飲食中）の場合には、当該客席コードの客席に着いている客からのオーダが可能なので、主制御部６８は、客席データベース７３の当該客席コードに対応したオーダ管理データに、受信伝文中のオーダメニューデータを追加する。
【００４１】
次に、主制御部６８は、当該客席コードに対応した稼動状況データが“１”であった場合には、客席データベース７３から当該客席コードに対応して設定されたフロアコードを取得し、フロアデータベース７２を検索して、当該フロアコードに対応したフロア管理データの未オーダ数を“１”だけ減算する。また、当該客席コードに対応した稼動状況データが“１”または“３”であった場合には、この稼動状況データを“２”に変更する。
【００４２】
次に、主制御部６８は、受信伝文中のオーダメニューデータから、オーダされたメニュー品目のメニューコードを全て取得する。そして、メニューデータベース７１を検索して、各メニューコード毎にそれに対応した厨房コーナコードを取得し、オーダされたメニュー品目のデータ（メニューコード，客席コード）を厨房コーナコードで振り分ける（作業コーナ判定手段）。そして、厨房コーナコード毎にその厨房コーナコードに振り分けられたメニュー品目の製造指示データ伝文を作成する。
【００４３】
製造指示データ伝文は、図１８に示すように、厨房コーナコードを宛先とし、メモリ部６２に記憶されているＳＴＮコードとともに、当該厨房コーナコードに振り分けられた全オーダメニュー品目のデータを付加した伝文である。主制御部６８は、厨房コーナコード別の製造指示データ伝文を、通信部６６を介してＬＡＮ４に送信する。この製造指示データ伝文は、それぞれ宛先の厨房コーナコードが設定された各厨房端末５Ａ〜５Ｄにて受信される。しかして、各厨房端末５Ａ〜５Ｄのタッチパネル付ディスプレイ４１には、オーダメニューの製造指示データが出力される。
【００４４】
上記製造指示データ伝文を送信後、主制御部６８は、厨房コーナコード別に振り分けられた全オーダメニュー品目のメニューコード及び客席コードに、時計部６５から読取った現在時刻を注文受付時刻として付加して製造実績データを作成する。そして、この厨房コーナコード別の製造実績データを厨房データベース７４に厨房コーナコード別に振り分けて追加する。また、該当厨房コーナコードに対応した製造必要数に、それぞれ追加したデータ分を加算する（作業量決定手段）。さらに、受信伝文中の店員コードを取得し、店員データベース７０を検索して、当該店員コードに対応した作業実績データのオーダ回数を“１”だけ増加させる。しかる後、主制御部６８は、後述する厨房警告判定処理を実行するものとなっている。
【００４５】
また、厨房端末５Ａ〜５ＤからＬＡＮ４経由で送信される製造完了データ伝文（図９を参照）を通信部６６を介して取り込むと、主制御部６８は、図２１の流れ図に示す製造完了入力処理を開始する。
【００４６】
先ず、主制御部６８は、受信伝文中の厨房コーナコードを取得し、厨房データベース７４を検索して、当該厨房コーナコードに対応して保存された製造実績データから、受信伝文中のメニューコード及び客席コードが一致しかつ製造完了時刻が未設定のデータを抽出する。そして、時計部６５にて計時されている現在時刻をこのデータの製造完了時刻としてセットする。また、該当厨房コーナコードに対応した製造必要数を“１”だけ減算する（作業量決定手段）。次に、主制御部６８は、店員データベース７０を検索して、担当部署コードとして当該厨房コーナコードを設定している店員コードを取得する。そして、この店員コードに対応した作業実績データの製造品目数を“１”だけ加算する。しかる後、主制御部６８は、後述する厨房警告判定処理を実行するものとなっている。
【００４７】
また、オーダエントリターミナル２から無線送信される配膳完了データ伝文（図７（ｃ）を参照）を無線機インターフェイス６４を介して取り込むと、主制御部６８は、図２２の流れ図に示す配膳完了入力処理を開始する。
【００４８】
先ず、主制御部６８は、受信伝文中の客席コードを取得し、客席データベース７３を検索して、当該客席コードに対応した稼動状況データを調べる。ここで、稼動状況データが“２”（配膳待ち）の場合には、当該客席コードの客席に着いている客がオーダしたメニュー品目の配膳が完了したので、主制御部６８は、この稼動状況データを“３”（飲食中）に変更する。また、主制御部６８は、客席データベース７３から当該客席コードに対応して設定されたフロアコードを取得し、フロアデータベース７２を検索して、当該フロアコードに対応したフロア管理データの未配膳数を“１”だけ減算する。さらに、受信伝文中の店員コードを取得し、店員データベース７０を検索して、当該店員コードに対応した作業実績データの配膳回数を“１”だけ増加させるものとなっている。
【００４９】
また、ＰＯＳ端末７からＬＡＮ４経由で送信される会計入力データ伝文（図１１を参照）を通信部６６を介して取り込むと、主制御部６８は、図２３の流れ図に示す会計入力処理を開始する。
【００５０】
先ず、主制御部６８は、受信伝文中の客席コードを取得し、客席データベース７３を検索して、当該客席コードに対応した稼動状況データを調べる。ここで、稼動状況データが“３”（飲食中）の場合には、当該客席コードの客席に着いている客が飲食を終えて会計を申し出たので、主制御部６８は、この稼動状況データを“４”（片付中）に変更する。また、当該客席コードに対応した滞留時間のカウントアップを停止させる。次に、主制御部６８は、客席データベース７３から当該客席コードに対応して設定されたフロアコードを取得し、フロアデータベース７２を検索して、当該フロアコードに対応したフロア管理データの在席数を“１”だけ減算する。また、客席データベース７３から当該客席コードに対応して管理されているオーダ管理データを取得し、通信部６６からＬＡＮ４経由でＰＯＳ端末７へ送信するものとなっている。
【００５１】
また、オーダエントリターミナル２から無線送信される片付完了データ伝文（図７（ｄ）を参照）を無線機インターフェイス６４を介して取り込むと、主制御部６８は、図２４の流れ図に示す片付完了入力処理を開始する。
【００５２】
先ず、主制御部６８は、受信伝文中の客席コードを取得し、客席データベース７３を検索して、当該客席コードに対応した稼動状況データを調べる。ここで、稼動状況データが“４”（片付中）の場合には、当該客席コードが設定された客席の後片付けが完了したので、主制御部６８は、この稼動状況データを“０”（空席）に変更する。しかる後、主制御部６８は、受信伝文中の店員コードを取得し、店員データベース７０を検索して、当該店員コードに対応した作業実績データの片付回数を“１”だけ増加させるものとなっている。
【００５３】
図２５は前記厨房警告判定処理の要部を示す流れ図である。すなわち主制御部６８は、オーダ入力処理あるいは製造完了入力処理の実行により、この厨房警告判定処理に入ると、厨房データベース７４の先頭レコードから順に製造必要数Ａと遅延製造数Ｂとを比較する（作業量判断手段）。そして、製造必要数Ａが遅延製造数Ｂを上回るレコードを検出した場合には、そのレコードのうち警告フラグが“１”にセットされていないレコードを取得する。そして、このレコードの警告フラグを“１”にセットする。また、現時点における店員データベース７０，メニューデータベース７１，フロアデータベース７２，客席データベース７３及び厨房データベース７４の各データを、警告ログファイル６９に保存する。このとき、各データベースのデータを周知の圧縮・解凍プログラムにより圧縮して保存してもよい。
【００５４】
また、主制御部６８は、警告フラグを“１”にセットしたレコードのカメラＩＤを取得する。そして、カメラ制御部６７を制御して、当該カメラＩＤによって識別される監視カメラ９Ａ〜９Ｄの撮像画像を取り込み、モニタ１０のカメラ画像表示部１６に表示させる（警告表示手段）。
【００５５】
一方、製造必要数Ａが遅延製造数Ｂを下回るレコードを検出した場合には、そのレコードのうち警告フラグが“１”にセットされているレコードを取得する。そして、このレコードの警告フラグを“０”にリセットする。また、主制御部６８は、当該厨房コーナコードに対応したカメラＩＤを取得する。そして、カメラ制御部６７を制御して、当該カメラＩＤによって識別される監視カメラ９Ａ〜９Ｄの撮像画像の表示を停止するものとなっている。
【００５６】
図２６は、主制御部６８が繰返し実行しているモニタ画面制御処理の要部を示す流れ図である。主制御部６８は、このモニタ画面制御処理を繰り返し実行することによって、モニタ１０に表示される店内監視画面１１のフロア状況表示部１２，１３，１４及び実績表示部１５を常に最新の内容に更新するようにしている。
【００５７】
すなわち、主制御部６８は、客席データベース７３に客席コード別に記憶管理されている稼動状況データが変更されたことを検知すると、それに応じて客席レイアウト画像１７に表示されている当該客席コードの客席画像２０を更新する。
【００５８】
また主制御部６８は、厨房データベース７４に厨房コーナコード別に記憶管理されている製造必要数が増減されたことを検知すると、それに応じて当該厨房コーナコードによって特定される厨房コーナの仕事量インジケータ２５を増減する（作業量表示手段）。このとき、当該厨房コーナコードに対応する警告フラグをチェックし、“１”にセットされていた場合には、当該インジケータ２５の周囲の円２６内を所定の色で色付けすることによって警告表示とし、逆に“０”にリセットされていた場合には円２６内を無色とすることによって非警告表示とするものとなっている（警告表示手段）。
【００５９】
このように本実施の形態においては、厨房コーナ毎にそのコーナで製造するメニュー品目のオーダ数から製造を完了したメニュー品目の数を減算した値を製造必要数として算出し、この製造必要数をその厨房コーナにおける担当者の作業量としている。そして、各厨房コーナ毎の作業量を、それぞれインジケータ２５の形態でモニタ１０の店内監視画面１１に一画面で表示するようにしている。したがって、店長等の店舗管理者はモニタ１０の店内監視画面１１を適時監視することによって、厨房コーナ毎の現時点における作業量を的確に把握することができる。これにより、作業量の増加によって注文品の提供が遅れるおそれがある厨房コーナを認識し、そのコーナの担当者を増員するなどの適切な対策を迅速に取ることができ、作業量の不均一による作業の遅延や作業負担のばらつきの発生等を未然に防ぐことができる。その結果、混雑時であっても効率的な店舗運営を容易に行うことができる。
【００６０】
また、本実施の形態では、厨房コーナ毎に作業量の許容量値として遅延製造数を予め設定し、作業量が遅延製造数を超えた厨房コーナのインジケータ２５の表示を、遅延製造数を超えていない厨房コーナのインジケータ２５の表示と異ならせて警告するようにしている。したがって、モニタ１０を監視している者であれば経験の有無に拘りなく誰でも作業量が遅延製造数を超えた厨房コーナを容易に認識することができる。
【００６１】
しかも、本実施の形態では、作業量が遅延製造数を超えた厨房コーナが発生すると、その厨房コーナの現状を撮像している監視カメラ９Ａ〜９Ｄの撮像画像を店内監視画面１１に表示するようにしている。したがって、モニタ１０の監視者はいずれかの監視カメラ９Ａ，９Ｂ，９Ｃまたは９Ｄによる撮像画像が画面内に表示されたことを視認することにより、厨房コーナに警告が発生していると認識できるので、作業量が遅延製造数を超えた厨房コーナを見落としてしまうおそれは殆どない。しかもこの場合は、撮像画像からその厨房コーナの現状を把握できるので、店舗管理者は、現状に即して人員シフトなどの適切な対応を取ることができるようになる。
【００６２】
なお、本発明は前記一実施の形態に限定されるものではない。  
例えば前記実施の形態では、製造必要数を厨房の作業量としたが、作業量はこれに限定されるものではなく、例えば厨房コーナ毎にそのコーナに対する単位時間あたりのオーダ数を求め、この単位時間あたりのオーダ数を作業量として決定してもよい。因みに、単位時間あたりのオーダ数は、厨房データベース７４に記憶されている厨房コーナコード毎のレコードから注文受付時刻が単位時間内（例えば現時刻から１５分前までの間）の製造実績データの数を計数することによって求めることができる。
【００６３】
また、前記実施の形態では、遅延製造数を厨房コーナ毎に設定したが、店員データベース７０上で店員毎に遅延製造数を設定し、同じ厨房コーナでも仕事量の増加に伴う警告のタイミングを店員の力量等によって異ならせてもよい。
【００６４】
また、前記実施の形態では、店内監視画面１１において厨房コーナ毎の仕事量インジケータ２５と対応させてそのコーナの調理を担当している店員の氏名２８を表示させたが、図２７の流れ図に示すように、作業量が遅延製造数を超えて警告状態にある厨房コーナの担当者氏名のみ表示させるようにしてもよい。こうすることにより、警告状態にある厨房コーナの担当者が誰であるかを店長等に強く意識させることができるので、例えばベテランの担当者なのでしばらくの間推移を見守ろうとか、新人の担当者なので即座に手助けが必要であろういった判断を的確に行えるようにようになる。また、担当者氏名は常時表示するようにし、警告状態にある厨房コーナの人物マーク２９を警告状態にないときと異ならせて警告表示させるようにしても、同様な作用効果を奏することができる。
【００６５】
また、前記実施の形態では、作業量が遅延製造数を超えた厨房コーナが発生すると、その厨房コーナの現状を撮像している監視カメラ９Ａ〜９Ｄの撮像画像を店内監視画面１１に表示させるようにしたが、平時は各監視カメラ９Ａ〜９Ｄの撮像画像を店内監視画面１１のカメラ画像表示部１６に分割して表示させ、作業量が遅延製造数を超えた厨房コーナが発生すると、その厨房コーナの撮像画像をカメラ画像表示部１６の全域に拡張して表示するようにしてもよい。また、平時はカメラ画像表示部１６には厨房コーナ以外の状況を撮像する監視カメラの画像を表示させておき、作業量が遅延製造数を超えた厨房コーナが発生すると、その厨房コーナの撮像画像をカメラ画像表示部１６の全域に拡張して表示するようにしてもよい。
【００６６】
また、厨房端末５Ａ〜５Ｄは、プリンタとバーコードスキャナを備え、プリンタからはバーコード付きのオーダメニュー製造指示伝票を印字発行し、この伝票のバーコードをスキャナでスキャニングすることで該当するオーダメニュー品目の製造完了を指示するタイプの物であってもよい。
【００６７】
この他、本発明が適用可能な飲食店の形式や、店内監視画面１１のレイアウト及びその画面上での警告の表示方法等、本発明の要旨を逸脱しない範囲で種々変形実施可能であるのは勿論である。
【図面の簡単な説明】
【００６８】
【図１】本発明の店舗管理機能を実現する飲食店システムの第１の実施の形態を示すシステム構成図。
【図２】同実施の形態においてモニタに表示される店舗管理画面の一レイアウト例を示す模式図。
【図３】同店内監視画面の客席レイアウト画像に表示される客席画像の一例を示す模式図。
【図４】同店内監視画面の厨房レイアウト画像に表示される厨房コーナ別仕事量インジケータの一例を示す模式図。
【図５】同実施の形態におけるオーダエントリターミナルの外観構成を示す模式図。
【図６】同オーダエントリターミナルの要部構成を示すブロック図。
【図７】同オーダエントリターミナルからステーションへ送信される主要なデータ伝文のフォーマットを示す模式図。
【図８】同実施の形態における厨房端末の要部構成を示すブロック図。
【図９】同厨房端末からステーションへ送信される主要なデータ伝文のフォーマットを示す模式図。
【図１０】同実施の形態におけるＰＯＳ端末の要部構成を示すブロック図。
【図１１】同ＰＯＳ端末からステーションへ送信される主要なデータ伝文のフォーマットを示す模式図。
【図１２】同実施の形態におけるステーションの要部構成を示すブロック図。
【図１３】同ステーションが記憶する店員データベースのレコードフォーマットを示す模式図。
【図１４】同ステーションが記憶するメニューデータベースのレコードフォーマットを示す模式図。
【図１５】同ステーションが記憶するフロアデータベースのレコードフォーマットを示す模式図。
【図１６】同ステーションが記憶する客席データベースのレコードフォーマットを示す模式図。
【図１７】同ステーションが記憶する厨房データベースのレコードフォーマットを示す模式図。
【図１８】同ステーションから厨房端末へ送信される製造指示データ伝文のフォーマットを示す模式図。
【図１９】同ステーションの主制御部が実行する案内完了入力処理の要部を示す流れ図。
【図２０】同ステーションの主制御部が実行するオーダ入力処理の要部を示す流れ図。
【図２１】同ステーションの主制御部が実行する製造完了入力処理の要部を示す流れ図。
【図２２】同ステーションの主制御部が実行する配膳完了入力処理の要部を示す流れ図。
【図２３】同ステーションの主制御部が実行する会計入力処理の要部を示す流れ図。
【図２４】同ステーションの主制御部が実行する片付完了入力処理の要部を示す流れ図。
【図２５】同ステーションの主制御部が実行する厨房警告判定処理の要部を示す流れ図。
【図２６】同ステーションの主制御部が実行するモニタ画面処理の要部を示す流れ図。
【図２７】モニタ画面処理の他の例の要部を示す流れ図。
【符号の説明】
【００６９】
１…ステーション、２…オーダエントリターミナル、３…無線機、４…ＬＡＮ、５Ａ〜５Ｄ…厨房端末、６…伝票発行機、７…ＰＯＳ端末、８…予約端末、９Ａ〜９Ｄ…監視カメラ、１０…モニタ、１１…店内監視画面、１２…フロア状況表示部、１７…客席レイアウト画像、１８…厨房レイアウト画像、２５…仕事量インジケータ、６８…主制御部、６９…警告ログファイル、７０…店員データベース、７１…メニューデータベース、７２…フロアデータベース、７３…客席データベース、７４…厨房データベース。
【図１】
2005228175.tif 000003
【図２】
2005228175.tif 000004
【図３】
2005228175.tif 000005
【図４】
2005228175.tif 000006
【図５】
2005228175.tif 000007
【図６】
2005228175.tif 000008
【図７】
2005228175.tif 000009
【図８】
2005228175.tif 000010
【図９】
2005228175.tif 000011
【図１０】
2005228175.tif 000012
【図１１】
2005228175.tif 000013
【図１２】
2005228175.tif 000014
【図１３】
2005228175.tif 000015
【図１４】
2005228175.tif 000016
【図１５】
2005228175.tif 000017
【図１６】
2005228175.tif 000018
【図１７】
2005228175.tif 000019
【図１８】
2005228175.tif 000020
【図１９】
2005228175.tif 000021
【図２０】
2005228175.tif 000022
【図２１】
2005228175.tif 000023
【図２２】
2005228175.tif 000024
【図２３】
2005228175.tif 000025
【図２４】
2005228175.tif 000026
【図２５】
2005228175.tif 000027
【図２６】
2005228175.tif 000028
【図２７】
2005228175.tif 000029